(57)【要約】【課題】かご室の外装によって覆われた空気調和機の設置箇所において換気不足が生じない展望用エレベーターのかごを得る。【解決手段】かご室６の外面を覆う外装７内に空気調和機１２が外部から見えないように設置した構成において、空気調和機１２の運転と共に送風手段１７を運転して外装７内と外装７外との間に大気を強制流通する。このため、空気調和機１２の全体を外装７で覆っていても、空気調和機１２廻りを十分換気できる。したがって、例えば冷房時に空気調和機１２廻りの過大な温度上昇を防ぐことができて冷房効率の低下を防止し、空気調和機１２による所要の空気調和能力を得ることができる。また、過大な温度変化のために空気調和機１２に隣接した他の機器における機能障害の発生を未然に防止する。【選択図】        図２
2004359373.tif 000002
【特許請求の範囲】
【請求項１】
かご室と、このかご室の外面を覆って設けられた外装と、上記かご室の外面と上記外装との間に設けられて上記かご室内を空気調和する空気調和機と、上記外装に設けられて上記空気調和機に対応する位置に配置された換気孔を介して、上記外装内と上記外装外との間に大気を強制流通させる送風手段とを備えた展望用エレベーターのかご。
【発明の詳細な説明】
【０００１】
【発明の属する技術分野】
この発明は、かご室の外面が外装によって覆われた展望用エレベーターのかごに関する。
【０００２】
【従来の技術】
従来の展望用エレベーターのかごにおいては、かご室の外面を覆って外装が設けられて、この外装内にかご室内を空気調和する空気調和機が設けられる。そして、外装は空気調和機が露出せず外部から見えないようにするために空気調和機の全体を覆うように設けられる。（例えば、特許文献１参照）。
【０００３】
【特許文献１】
特開平７−７６４７５号公報（第２頁、図１）
【０００４】
【発明が解決しようとする課題】
従来の展望用エレベーターのかごでは、空気調和機の全体が外装によって覆われるので、空気調和機の設置箇所における換気が不十分となる。このため、例えば冷房時に空気調和機廻りの温度上昇が大きくなり、冷房効率が低下して所要の空気調和能力が得られなくなるという問題点があった。また、空気調和機廻りの温度上昇のために空気調和機に隣接して設置されたエレベーターの他の機器に機能障害が生じる恐れがあった。
【０００５】
この発明は、かかる問題点を解消するためになされたものであり、かご室の外装によって覆われた空気調和機の設置箇所において換気不足が生じない展望用エレベーターのかごを得ることを目的とする。
【０００６】
【課題を解決するための手段】
この発明に係る展望用エレベーターのかごにおいては、かご室と、このかご室の外面を覆って設けられた外装と、かご室の外面と外装との間に設けられてかご室内を空気調和する空気調和機と、外装に設けられて空気調和機に対応する位置に配置された換気孔を介して、外装内と外装外との間に大気を強制流通させる送風手段とが設けられる。
【０００７】
【発明の実施の形態】
実施の形態１．
図１〜図３は、この発明の実施の形態の一例を示す図で、図１は一部を切欠して示す側面図、図２は図１の下部を拡大して示す側面図であり図１における空気調和機等の配置を概念的に示す図、図３は図２の側面図であり図２における空気調和機等の配置を概念的に示す図である。図において、鋼材がロ字状に組立てられたかご枠１の下枠２の上に支持枠３が載置され、支持枠３の上にかご床４が防振ゴム５を介して設置される。
【０００８】
そして、かご床４の上にかご室６が立設されて、かご室６の外面を覆って外装７が設けられ、また外装７の一部をなす底面板８が下枠２よりも下方に設けられる。また、外装７の他の一部をなす前垂れ板９が図２における左側に設けられて下端が底面板８に対向する位置に配置され、底面板８とによって下枠２の下側に空気調和機室１０が形成される。
【０００９】
また、図２おいて逆Ｚ字状をなすブラケット１１が空気調和機室１０内に配置されてブラケット１１の上部部材が下枠２の下に締結され、またブラケット１１の下部部材の上に空気調和機１２が設置される。また、外装７板に貫通して設けられて空気調和機１２に接続された吸入ダクト１３及び空気調和機１２に接続されてかご室６内に連通した給気ダクト１４が設けられる。
【００１０】
そして、底面板８の前垂れ板９下端寄り位置に吸気孔１５が設けられ、また外装７の空気調和機１２に対応する位置に換気孔１６が設けられる。また、換気扇からなる送風手段１７が外装７に設けられて換気孔１６に接続して配置される。そして、送風手段１７が付勢されて外装７内と外装７外との間に大気を強制流通させる。
【００１１】
上記のように構成された展望用エレベーターのかごにおいて、かご室６の外面を覆って外装７が設けられて、空気調和機室１０内に空気調和機１２が外部から見えないように設置される。そして、吸入ダクト１３から吸入された外気が空気調和機１２によって空気調和されて、給気ダクト１４を経てかご室６内に供給される。
【００１２】
また、空気調和機１２の運転と共に送風手段１７が運転されて吸気孔１５及び換気孔１６を介して、外装７内と外装７外との間に大気が強制流通されて空気調和機室１０内が換気される。このため、空気調和機１２の全体が外装７によって覆われていても空気調和機室１０内を、必要な空気流通量による十分な換気作用を得ることができる。
【００１３】
したがって、例えば冷房時に空気調和機廻りの過大な温度上昇を防ぐことができ冷房効率の低下を防止しでき、所要の空気調和能力を得ることができる。また、空気調和機廻りの温度上昇のために空気調和機に隣接して設置されたエレベーターの他の機器（図示しない）における機能障害の発生を未然に防止することができる。
【００１４】
なお、図１〜図３の実施の形態では吸入ダクト１３から吸入された外気を空気調和機１２によって空気調和して、給気ダクト１４を経てかご室６内に供給する空気調和方式である。しかし、このような空気調和方式に対して図１〜図３の実施の形態の構成を、かご室６内の空気を空気調和機１２によって空気調和して再びかご室６内に還流する循環形の空気調和方式に容易に適用することができる。そして、循環形の空気調和方式においても図１〜図３の実施の形態におけると同様な作用を得ることができる。
【００１５】
【発明の効果】
この発明は以上説明したように、かご室と、このかご室の外面を覆って設けられた外装と、かご室の外面と外装との間に設けられてかご室内を空気調和する空気調和機と、外装に設けられて空気調和機に対応する位置に配置された換気孔を介して、外装内と外装外との間に大気を強制流通させる送風手段とを設けたものである。
【００１６】
これによって、かご室の外面を覆う外装内に空気調和機が外部から見えないように設置された構成において、空気調和機の運転と共に送風手段が運転されて外装内と外装外との間に大気が強制流通される。このため、空気調和機の全体が外装によって覆われていても、空気調和機廻りを十分換気することができる。したがって、例えば冷房時に空気調和機廻りの過大な温度上昇を防ぐことができて冷房効率の低下を防止でき、空気調和機による空気調和作用の損失を低減する効果がある。また、温度上昇等の過大な温度変化のために空気調和機に隣接して設置されたエレベーターの他の機器における機能障害の発生を未然に防止する効果がある。
【図面の簡単な説明】
【図１】この発明の実施の形態１を示す図で、外装の一部を切欠して示す側面図。
【図２】図１の下部を拡大して示す側面図で、図１における空気調和機等の配置を概念的に示す図。
【図３】図２の側面図で、図２における空気調和機等の配置を概念的に示す図。
【符号の説明】
６  かご室、７  外装、１２  空気調和機、１６  換気孔、１７  送風手段。
【図１】
2004359373.tif 000003
【図２】
2004359373.tif 000004
【図３】
2004359373.tif 000005